(57)【要約】【課題】部品点数を少なくすると共に、バリア開閉の操作感を向上させ、更に汎用性を高めたレンズフードを提供する。【解決手段】レンズフード１１０は、本体部であるフード前カバー２０１及びフード後カバー２０２と、撮像レンズを保護する閉位置と被写体からの反射光を取り入れる開位置との間を回転動作により移動可能な単板からなるバリア１１１とを備え、フード後カバー２０２は、バリア１１１が閉位置にあるときに遮蔽される開口部３０７と、開口部３０７の近傍から被写体に向かって開くように光軸と所定の角度を成して延伸する上側壁部２０２ａを有する。バリア１１１は、開位置にあるときには、上側壁部２０２ａに近接すると共に、開口部３０７における上側壁部２０２ａ側の端部とバリア１１１の先端とを結ぶ面が撮像レンズの画角から所定距離だけ平行移動して離れた位置にある構成とする。【選択図】図７
2014126793.tif 000002
【特許請求の範囲】
【請求項１】
撮像装置に対して撮像レンズの前方に取り付けられるレンズフードであって、
前記撮像レンズを保護する閉位置と前記撮像レンズに被写体からの反射光を取り入れる開位置との間を回転動作により移動可能なバリア部材と、
前記バリア部材が前記閉位置にあるときに遮蔽される開口部と、前記開口部から近傍から前記被写体に向かって開くように前記撮像レンズの光軸と所定の角度を成して延伸する第１の壁部とを有する本体部とを備え、
前記バリア部材は、前記開位置にあるときには、前記本体部の前記第１の壁部に近接すると共に、前記本体部の前記開口部における前記第１の壁部側の端部と前記バリア部材の先端とを結ぶ面が前記撮像レンズの画角から所定距離だけ平行移動して離れた位置にあることを特徴とするレンズフード。
【請求項２】
前記本体部は、前記第１の壁部と光軸を挟んで対向する第２の壁部を有し、
前記第２の壁部は、前記本体部の前記開口部における前記第２の壁部側の端部と前記第２の壁部の先端とを結ぶ面が前記撮像レンズの画角から所定距離だけ平行移動して離れた位置にあることを特徴とする請求項１記載のレンズフード。
【請求項３】
前記本体部の前記開口部における前記第１の壁部側の端部と前記バリア部材が前記開位置にあるときの前記バリア部材の先端とを結ぶ面と前記光軸とが成す角度は、前記本体部の前記開口部における前記第２の壁部側の端部と前記第２の壁部の先端とを結ぶ面と前記光軸とが成す角度と略等しいことを特徴とする請求項２記載のレンズフード。
【請求項４】
前記バリア部材が前記開位置にあるときの前記バリア部材の先端から前記光軸までの距離は、前記本体部の前記第１の壁部の先端から前記光軸までの距離と略等しいか、前記本体部の前記第１の壁部の先端から前記光軸までの距離よりも短いことを特徴とする請求項２記載のレンズフード。
【請求項５】
前記本体部を前記撮像装置に取り付ける位置から前記第１の壁部の先端までの距離は、前記本体部を前記撮像装置に取り付ける位置から前記第２の壁部の先端までの距離よりも長いか、前記本体部を前記撮像装置に取り付ける位置から前記第２の壁部の先端までの距離と略等しいことを特徴とする請求項２乃至４のいずれか１項に記載のレンズフード。
【請求項６】
前記本体部が前記撮像装置に取り付けられた状態で、前記第１の壁部は上側壁部となり、前記第２の壁部は下側壁部となることを特徴とする請求項２乃至５のいずれか１項に記載のレンズフード。
【請求項７】
前記本体部は、前記開口部と前記撮像レンズとの間にフィルタを取り付けるための空間部を有することを特徴とする請求項１乃至６のいずれか１項に記載のレンズフード。
【請求項８】
前記本体部は、前記開口部と前記第２の壁部との間に設けられた穴部を有し、
前記バリア部材の回転中心は、前記開口部を挟んで前記穴部と対向する位置に配置されることを特徴とする請求項２乃至７のいずれか１項に記載のレンズフード。
【請求項９】
前記穴部は、前記撮像装置が備える光学部材または音響部材を外部に対して露出させることを特徴とする請求項８記載のレンズフード。
【請求項１０】
一端が前記本体部に係止されると共に他端が前記バリア部材に係止され、前記バリア部材を前記開位置側と前記閉位置側のそれぞれに付勢して前記バリア部材が前記閉位置と前記開位置との間で移動する間に前記バリア部材に対する付勢力の方向が切り替わる反転ばねとを更に備え、
前記本体部は、前記バリア部材が前記開位置にあるときに前記反転ばねの弾性変形部と接触する第１のリブと、前記バリア部材が前記閉位置にあるときに前記弾性変形部と接触する第２のリブとを有し、
前記弾性変形部は、前記バリア部材が前記閉位置と前記開位置との間で移動する間は、前記第１のリブおよび前記第２のリブに対して非接触となることを特徴とする請求項１乃至９のいずれか１項に記載のレンズフード。
【請求項１１】
前記反転ばねの前記弾性変形部は、前記弾性変形部の中間よりも前記他端に近い側面において前記第１のリブおよび前記第２のリブと接触することを特徴とする請求項１０記載のレンズフード。
【請求項１２】
請求項１乃至１１のいずれか１項に記載のレンズフードを備えることを特徴とする撮像装置。
【発明の詳細な説明】
【技術分野】
【０００１】
本発明は、レンズフードと、レンズフードが取り付けられる撮像装置に関する。
【背景技術】
【０００２】
ビデオカメラを使用するときに、撮像レンズ鏡筒に入光する有害光を遮光するレンズフードを取り付けることがある。このようなレンズフードとして、有害光の遮光機能に加えて、撮像レンズ前玉部を保護すると共に、未使用時に撮像レンズ内に集光して内部が高温になることを防ぐためのバリアの機能を備えたものが提案されている（特許文献１参照）。このようなレンズフードでは、撮像レンズ前玉部を露出させる開位置と撮像レンズ前玉部を非露出状態として保護する閉位置との間でバリア部材（蓋部材）を移動させる。
【先行技術文献】
【特許文献】
【０００３】
【特許文献１】特開２００５−１７５２３号公報
【発明の概要】
【発明が解決しようとする課題】
【０００４】
しかしながら、上記特許文献１に記載された技術では、レンズフードは上下２枚のバリア部を有しているために、部品点数が多くなり、構造が複雑になると共に、コストが嵩むという問題がある。また、バリアを２枚で構成するために、バリアの中心にブランドロゴ等を記載すると、２枚のバリアの当接面により、ブランドロゴが切れてしまい、外観上、好ましいものではない。更に、バリアが上下に開く構造は、バリアフードに上下方向で高さが必要となってしまうために、撮像レンズの光軸中心よりも下側の高さが短い製品には適用できないという問題がある。
【０００５】
本発明は、部品点数を少なくすると共に、バリア開閉の操作感を向上させ、更に汎用性を高めたレンズフードを提供することを目的とする。
【課題を解決するための手段】
【０００６】
本発明に係るレンズフードは、撮像装置に対して撮像レンズの前方に取り付けられるレンズフードであって、前記撮像レンズを保護する閉位置と前記撮像レンズに被写体からの反射光を取り入れる開位置との間を回転動作により移動可能なバリア部材と、前記バリア部材が前記閉位置にあるときに遮蔽される開口部と、前記開口部から近傍から前記被写体に向かって開くように前記撮像レンズの光軸と所定の角度を成して延伸する第１の壁部とを有する本体部とを備え、前記バリア部材は、前記開位置にあるときには、前記本体部の前記第１の壁部に近接すると共に、前記本体部の前記開口部における前記第１の壁部側の端部と前記バリア部材の先端とを結ぶ面が前記撮像レンズの画角から所定距離だけ平行移動して離れた位置にあることを特徴とする。
【発明の効果】
【０００７】
本発明に係るレンズフードによれば、部品点数を少なくすると共に、バリア開閉の操作感を向上させ、更に汎用性を高めることができる。
【図面の簡単な説明】
【０００８】
【図１】本発明の第１実施形態に係るビデオカメラの外観構成を示す斜視図である。
【図２】図１に示す第１実施形態に係るレンズフードを単体で示す斜視図である。
【図３】第１実施形態に係るレンズフードを構成するフード前カバーの構成を示す側面図及び斜視図と、内部部品の構造を示す斜視図である。
【図４】第１実施形態に係るレンズフードからフード後カバーを外した状態で、バリアが閉状態、中立状態及び開状態との間で移行する様子を示す側面図である。
【図５】第１実施形態に係るレンズフードを構成するスライド部材に設けられたカムガイド穴の位置の変化を示す図である。
【図６】第１実施形態に係るレンズフードを構成するフード後カバーを単品で示す背面図及びフード前カバーを取り付けて示す背面図である。
【図７】第１実施形態に係るレンズフードの開状態をｘ−ｙ面で切断して示す断面図である。
【図８】第２実施形態に係るレンズフードの分解斜視図である。
【図９】図８に示すレンズフードが備えるバリアが開位置にあるときと閉位置にあるときの各状態を示す右側面図である。
【図１０】図８に示すレンズフードが備えるバリアが開位置にあるときと閉位置にあるときの各状態を示す左側面図である。
【図１１】図８に示すレンズフードが備えるバリアが閉位置にあるときのレンズフードの正面図及び右側面図である。
【図１２】図８に示すレンズフードが備えるバリアが開位置にあるときのレンズフードの正面図及び右側面図である。
【図１３】図１１の矢視Ａ−Ａ断面図と、図１２（ａ）の矢視Ｂ−Ｂ断面図である。
【図１４】図１３（ａ）に示す領域Ｄの拡大図と、図１３（ａ）に示す領域Ｅの拡大図である。
【図１５】図１２（ｂ）の矢視Ｃ−Ｃ断面図である。
【図１６】図１５に示す領域Ｆと領域Ｇの拡大図である。
【発明を実施するための形態】
【０００９】
以下、本発明の実施形態について、添付図面を参照して詳細に説明する。ここでは、本発明に係るレンズフードを撮像装置の一例であるデジタルビデオカメラ（以下「ビデオカメラ」という）に取り付けた構成を取り上げる。但し、本発明はこれに限定されるものではなく、本発明に係るレンズフードは、その他の撮像装置（例えば、一眼レフカメラ等）にも適用することができる。
【００１０】
＜ビデオカメラの外観構成＞
図１は、本発明の実施形態に係るビデオカメラ１０１の外観構成を示す斜視図である。なお、以下の説明では、図１に示す三次元直交座標系に基づいて、ビデオカメラ１０１の各構成要素について説明を行うこととする。ビデオカメラ１０１のレンズ光軸（撮影光軸）と平行方向をｘ方向とする。このうち、光軸方向被写体側である＋ｘ方向を「前」とし、光軸方向撮像素子側である−ｘ方向を「後」とする。また、ビデオカメラ１０１を正姿勢に保持した状態でビデオカメラ１０１を前側から見たときの水平方向である＋ｚ方向を「右」とし、−ｚ方向を「左」とする。更に、ビデオカメラ１０１を正姿勢に保持した状態でビデオカメラ１０１を前側から見たときの鉛直方向をｙ方向とする。ｙ方向のうち、鉛直方向上向きである＋ｙ方向を「上」とし、鉛直方向下向き（重力方向）である−ｙ方向を「下」とする。
【００１１】
図１（ａ）には、ビデオカメラ１０１の本体のみが示されている。ビデオカメラ１０１は、一般的なデジタルビデオカメラであり、撮像レンズ前玉部１０３を本体の前面に有し、本体右側面には開閉（収納）可能な表示部１０４を有し、本体左側面には把持部１０５を有する。ビデオカメラ１０１の撮像レンズ前玉部１０３の下側には、光学部材開口部１０６が設けられている。また、ビデオカメラ１０１の光学部材開口部１０６の後ろ側には、測距センサや発光部、受光部等の光学部材が配置されている。なお、光学部材開口部１０６の後ろ側には、光学部材以外にも、集音用マイク等の開口が必要な音響部材を配置してもよい。本実施形態では測距センサが配置されているものとする。
【００１２】
ビデオカメラ１０１では、撮像レンズ前玉部１０３の周辺の３カ所にフード係合部１０７が設けられている。また、ビデオカメラ１０１のフード係合部１０７の外周の後ろ側に円形の回転操作部材１０８が設けられている。ビデオカメラ１０１の上面において回転操作部材１０８の後ろ側には、集音マイク１０９が設けられている。
【００１３】
図１（ｂ），（ｃ）は、ビデオカメラ１０１の本体に第１実施形態に係るレンズフード１１０が装着された状態を示している。図１（ｂ）は、レンズフード１１０の開状態（バリア部材（以下「バリア」という）１１１が開位置にある状態）を示す図である。図１（ｃ）は、レンズフード１１０の閉状態（バリア１１１が閉位置にある状態）を示す図である。
【００１４】
レンズフード１１０は、撮像レンズ前玉部１０３の前方に取り付けられ、撮像レンズ前玉部１０３に入光する有害光を遮光するフードとして機能する。また、レンズフード１１０は、バリア１１１を備える。バリア１１１は、撮像レンズ前玉部１０３を保護すると共に、ビデオカメラ１０１の未使用時に撮像レンズ前玉部１０３を通じた撮像レンズ内での集光によって内部が高温になることを防ぐ。バリア１１１が開位置にある図１（ｂ）の状態は、被写体の撮像を行うことができる使用状態を示している。図１（ｂ）の状態では、バリア１１１は、撮像レンズ前玉部１０３を通して撮像レンズ鏡筒（不図示）への被写体からの反射光の入射が可能である。被写体の撮像を行うことができる使用状態を示している。一方、バリア１１１が閉位置にある図１（ｃ）の状態は、撮像レンズ前玉部１０３と本体内部を保護する状態を示している。図１（ｃ）の状態では、バリア１１１は、撮像レンズ前玉部１０３を通して撮像レンズ鏡筒（不図示）への光の入射を遮る。
【００１５】
レンズフード１１０は、バリア操作部材１１２を備えている。レンズフード１１０は、バリア操作部材１１２を下側に移動させると開状態（バリア１１１が開位置）となり、上側に移動させると閉状態（バリア１１１が閉位置）となる。レンズフード１１０には、レンズフード１１０が装着された状態において光学部材開口部１０６が遮蔽されることがないように穴部１１３が設けられており、これにより、測距センサ等の光学部材を外部に対して露出させて正常に機能させることができる。図１（ｃ）に示すように、本実施形態では、バリア１１１は閉位置にあるときに光学部材開口部１０６を遮蔽しない構成となっているが、これに限られず、バリア１１１が閉位置にあるときには光学部材開口部１０６も閉口される構成としてもよい。
【００１６】
＜レンズフードの構成の詳細＞
図２は、レンズフード１１０を単体で示す斜視図であり、レンズフード１１０を見る方向を変えて（ａ）〜（ｄ）に示している。図２（ａ）は、レンズフード１１０の右側外観斜視図である。レンズフード１１０は、外観に表出する本体部であるフード前カバー２０１及びフード後カバー２０２を備える。また、レンズフード１１０は、外観に表出するバリア操作部材１１２及びバリア１１１と、外観には表出しない後述の内部部材とを備える。バリア１１１は単板（１枚の板材）で構成されており、そのため、バリア１１１にブランドロゴを表示させたい場合は、ブランドロゴをバリア１１１の中央に分割せずに表示することが可能となっている。
【００１７】
図２（ｂ）は、レンズフード１１０の左側外観斜視図である。レンズフード１１０（フード後カバー２０２）の後ろ面には、ビデオカメラ１０１の本体に設けられた３カ所のフード係合部１０７のそれぞれと係合する係合爪２０３が設けられている。フード後カバー２０２は、フード開口部３０７（図３参照）から被写体に向かって開くように光軸と所定の角度を成して延伸する＋ｙ側の第１の壁部である上側壁部２０２ａと、光軸を挟んで上側壁部２０２ａと対向する第２の壁部である下側壁部２０２ｂとを有する。なお、バリア１１１は、開位置にあるときには上側壁部２０２ａに近接して、フード後カバー２０２に収納される。
【００１８】
図２（ｃ）は、レンズフード１１０からフード後カバー２０２を除いた状態を示す右側斜視図である。図２（ｄ）は、レンズフード１１０からフード後カバー２０２を除いた状態を示す左側斜視図である。レンズフード１１０を構成する前述の内部部材とは、スライド部材２０４、ダンパ２０５及び反転ばね２０６からなる。スライド部材２０４は、バリア操作部材１１２と接続されることで、バリア１１１と一体的に動く。ダンパ２０５は、スライド部材２０４の動きを緩和する。反転ばね２０６は、本実施形態においては弦巻ばねであり、左側面に配置されている。なお、本実施形態では、反転ばね２０６として、弦巻ばねを用いている。反転ばね２０６の端部はバリア１１１側のばね掛け軸２０７とフード前カバー２０１側のばね掛け軸２０８とに引っ掛けられている。そして、後述するように、反転ばね２０６はバリア１１１を閉位置に向けて又は開位置に向けて付勢し、バリア１１１を閉位置と開位置の各位置で保持する。
【００１９】
図３は、フード前カバー２０１と内部部品とを示す図である。図３（ａ）は、フード前カバー２０１の右側面図である。フード前カバー２０１の右側面には、上側スライド軸３０１と、下側スライド軸３０２と、ダンパ取り付け部３０３とが設けられている。上側スライド軸３０１及び下側スライド軸３０２の機能については、図３（ｄ）を参照して後述する。
【００２０】
図３（ｂ）は、フード前カバー２０１の左側斜視図である。フード前カバー２０１の後ろ面には、右側バリア回転軸受け３０４と左側バリア回転軸受け３０５とが設けられており、また、フード後カバー２０２との締結部３０６が４カ所に設けられている。フード前カバー２０１は、撮像レンズ前玉部１０３のために設けられたフード開口部３０７を有しており、フード前カバー２０１の左側面にばね掛け軸２０８を有している。
【００２１】
フード前カバー２０１は、四角錐状に形成されたフード内壁３０８と、測距センサ等のための穴部１１３から四角錐状に形成された測距センサ内壁３０９とを有する。フード内壁３０８は、ビデオカメラ１０１の撮像レンズの画角がけられない範囲で形成された面に沿って所定の肉厚で形成されている。測距センサ内壁３０９も、測距センサの有効光束がけられない範囲で形成された面に沿って所定の肉厚で形成されている。
【００２２】
フード前カバー２０１には、バリア１１１を組み込み時に挿通させるためのバリア挿通穴３１０が設けられている。図３（ｃ）は、バリア挿通穴３１０からバリア１１１を挿通させている途中の状態を示す斜視図である。バリア１１１は、バリア１１１を回転動作により閉位置と開位置との間で移動可能とする回転軸であるバリア回転軸３１１を有する。また、バリア１１１は、バリア回転軸３１１の左側端部にばね掛け軸２０７が形成されている。また、バリア１１１は、撮像レンズ前玉部１０３を保護するレンズ保護部３１２と、スライド部材２０４と係合するカムシャフト３１３と、カムシャフト３１３が形成されたカムシャフト支持部３１４とを有する。
【００２３】
フード前カバー２０１に形成されたバリア挿通穴３１０にレンズ保護部３１２を挿通し、バリア回転軸３１１が右側バリア回転軸受け３０４及び左側バリア回転軸受け３０５に接触するようにして、バリア１１１をフード前カバー２０１に組み付ける。図３（ｄ）は、バリア１１１をフード前カバー２０１に組み付けた後に、更にスライド部材２０４とダンパ２０５を組み付けた状態を示す右側斜視図である。バリア１１１に設けられたカムシャフト３１３がスライド部材２０４に設けられたカムガイド穴３１５に挿通され、スライド部材２０４のスライドガイド穴３１６がフード前カバー２０１に設けられた上側スライド軸３０１と下側スライド軸３０２とに嵌合する。
【００２４】
スライド部材２０４に対してダンパ２０５が取り付けられる。図３（ｅ）は、スライド部材２０４とダンパ２０５の組み付け状態を示す斜視図である。スライド部材２０４に設けられたギア部３１７とダンパ２０５の回転ギア３１８とが係合し、ダンパ２０５の内部に充填された粘性流体によって回転ギア３１８の回転運動に抵抗が加わることにより、スライド部材２０４の動きに抵抗が与えられる構成となっている。また、バリア１１１のカムシャフト支持部３１４をバリア回転軸３１１を中心とした略扇形の形状として、スライド部材２０４のカムガイド穴３１５との接触面を大きく取っている。これにより、バリア１１１の回転時の引っ掛かりを防ぐと共に、フード前カバー２０１のフード内壁３０８との干渉を防いでいる。
【００２５】
図４（ａ）〜（ｆ）は、レンズフード１１０からフード後カバー２０２を外した状態で、バリア１１１が閉位置、中立位置及び開位置との間で移動する様子を右側面と左側面とから見て示す側面図である。
【００２６】
図４（ａ）は、バリア１１１が閉位置にあるときの右側面図である。図４（ｂ）は、バリア１１１が閉位置にあるときの左側面図である。バリア１１１が閉位置にあるとき、図４（ａ）に示すように、スライド部材２０４のカムガイド穴３１５の上端側にバリア１１１のカムシャフト３１３が当接している。このとき、図４（ｂ）に示すように、反転ばね２０６はバリア１１１側のばね掛け軸２０７を矢印Ａ方向（図４（ｂ）での時計回り方向）に付勢することで、バリア１１１を閉位置に保持している。
【００２７】
図４（ｂ）には、バリア１１１側のばね掛け軸２０７の軌跡が破線で示されている。位置４０２は、バリア回転軸３１１の中心とフード前カバー２０１側のばね掛け軸２０８とを結んだ延長線４０１上にバリア１１１側のばね掛け軸２０７がくる位置である。位置４０２は、反転ばね２０６の付勢力が時計回りと反時計回りにバリア回転軸３１１を回転させようと作用する中立位置である。この位置４０２（中立位置）は、バリア１１１の回転端である開位置でのばね掛け軸４０３の位置と閉位置のばね掛け軸４０３の位置の中間（バリア１１１の回転範囲の中心４０４）に対して開位置側に偏っている。
【００２８】
図４（ｃ）は、バリア１１１が中立位置にあるときの右側面図である。図４（ｄ）は、バリア１１１が中立位置にあるときの左側面図である。図４（ｃ）に示すように、スライド部材２０４に設けられたカムガイド穴３１５の上端側にバリア１１１のカムシャフト３１３が当接した状態でスライド部材２０４を下方へ移動させることで、バリア１１１を矢印Ｂ方向（時計回り方向）に回転させる。このとき図４（ｄ）に示すように、反転ばね２０６は、バリア１１１側のばね掛け軸２０７とフード前カバー２０１のばね掛け軸２０８との中立位置にある。前述の通り、この中立位置は、バリア１１１の回転範囲の中心４０４ではなく、中心４０４よりも開位置側に偏った位置に設定されている。
【００２９】
図４（ｃ）の状態からバリア１１１が更に開方向（図４（ｃ）の矢印Ｂ方向）に動くと、反転ばね２０６は、図４（ｄ）に示す矢印Ｃ方向（図４（ｄ）での反時計回り方向）の付勢力を発するため、バリア１１１は開方向に動こうとする。つまり、図４（ｅ）に示すように、バリア１１１のカムシャフト３１３はスライド部材２０４のカムガイド穴３１５の下端に当接する方向に付勢される。図４（ｅ）は、バリア１１１が開位置にあるときの右側面図である。図４（ｆ）は、バリア１１１が開位置にあるときの左側面図である。図４（ｆ）に示すように、バリア１１１が開位置にあるときには、反転ばね２０６はバリア１１１を矢印Ｃ方向（図４（ｆ）での反時計回り）に付勢しているため、バリア１１１は開位置に保持される。
【００３０】
ここで、図４（ｆ）に示す開位置での反転ばね２０６の長さ４０５は、図４（ｂ）に示す閉位置での反転ばね２０６の長さ４０６よりも長い。そのため、バリア１１１に対する反転ばね２０６の付勢力は、バリア１１１が開位置にあるときの方が閉位置にあるときよりも大きい。これにより、ビデオカメラ１０１による撮影中に不用意にバリア１１１が閉じてしまうことを防ぐことができる。
【００３１】
図５は、スライド部材２０４に設けられたカムガイド穴３１５の位置の変化を示す図である。図５（ａ）は、バリア１１１が閉位置にあるときのカムシャフト３１３の位置を示しており、カムシャフト３１３が実線で示されている。これに対して、図５（ａ）では、バリア１１１が図４（ｄ）に示した中立位置にあるときのカムシャフト３１３の位置を破線５０１で、バリア１１１が図４（ｆ）の開位置にあるときのカムシャフト３１３の位置を破線５０２で示している。
【００３２】
図５（ａ）では、バリア１１１の回転範囲の中心線を一点鎖線５０３で示している。図５（ｂ）は、バリア１１１の回転範囲の中心線である一点鎖線５０３上にカムシャフト３１３が位置した状態を示しており、カムシャフト３１３が実線で示されている。図５（ｃ）は、バリア１１１の中立位置にカムシャフト３１３が位置した状態を示しており、カムシャフト３１３が実線で示されている。
【００３３】
カムガイド穴３１５は、均一幅のガイド穴ではなく、スライド部材２０４のスライド方向と直交する方向に沿って、バリア回転軸３１１から離れるに従って（後方に行くに従って）幅が広がる形状（略台形形状）となっている。これは、バリア１１１を閉位置から開位置へ移動させるためにスライド部材２０４をスライドさせる際に、図５（ａ）に示すように、カムガイド穴３１５の側面（斜面）とカムシャフト３１３が当接する位置で、バリア１１１の回転方向（時計回り方向）に分力５０４を発生させることを目的としている。この分力５０４が発生することにより、バリア１１１の動き出しの力に及ぼすカムシャフト３１３とカムガイド穴３１５との間の摩擦力を軽減することができる。なお、バリア１１１が開位置から閉位置に移動する際も同様の作用が働く。
【００３４】
しかしながら、カムガイド穴３１５を図５（ａ）のように後方（撮像装置側）の幅が広い形状とした場合には、後方の幅の広い位置ではカムシャフト３１３に対するカムガイド穴３１５の遊び量が大きくなる。つまり、上下方向での動きの自由度が増してしまうため、動作時のがたつきが大きくなるおそれがある。
【００３５】
そこで、このがたつきを目立たなくするために、図４（ｄ）等を参照して説明したように、反転ばね２０６の中立位置を偏らせた構造としている。つまり、図５（ｂ）は、カムシャフト３１３が最もがたつきの大きい位置（バリア１１１が回転角度の中心にあり、カムシャフト３１３とカムガイド穴３１５との間の上下方向の空間が最も広くなる位置）にあるときの状態を示している。この状態では、反転ばね２０６は中立位置よりも閉位置側にあるため、カムシャフト３１３は閉じ方向に付勢されている。
【００３６】
反転ばね２０６が中立位置にあるときのカムシャフト３１３とカムガイド穴３１５の位置関係は、図５（ｃ）に示す状態となっている。図５（ｃ）に示す様に、本実施形態では、図５（ｂ）の状態よりもカムガイド穴３１５の幅が小さい位置で、つまり図５（ｂ）よりもがたつきの少ない位置で、カムシャフト３１３はカムガイド穴３１５の側面に当接する。
【００３７】
次に、フード後カバー２０２の構造について説明する。図６（ａ）は、フード後カバー２０２を単体で示す背面図である。図６（ｂ）は、フード後カバー２０２にフード前カバー２０１を取り付けた状態を示す背面図である。フード後カバー２０２の上下には、バリア１１１の構造を外観から遮蔽する目隠し部６０１が設けられている。
【００３８】
本実施形態では、フード後カバー２０２には、ビデオカメラ１０１の本体と係合するための係合爪２０３を複雑な金型を用いずに成形するために、３カ所の係合爪２０３のそれぞれの前方には穴６０２が開いている。そこで、この穴６０２を、図６（ｂ）に示すように、フード前カバー２０１に形成された目隠し壁６０３によって塞ぐ構造としており、これにより、レンズフード１１０の内部構造部を外部から遮蔽している。
【００３９】
図７は、バリア１１１が開位置にあるときのレンズフード１１０のｘ−ｙ断面図である。レンズフード１１０のビデオカメラ１０１本体側には、ビデオカメラ１０１に取り付けるフィルタを避ける空間部７０１が所定の距離で設けられている。また、撮像レンズ（撮像レンズ前玉部１０３のみを図示する）の画角７０２から所定距離だけ逃げた位置にフード開口部３０７が設けられている。
【００４０】
フード開口部３０７の下端側面３０７ａと下側壁部２０２ｂの先端である下側フード端７０３とを結ぶ線７０４が、撮像レンズの画角７０２から所定距離だけ平行移動して離れた位置にくるように、下側フード端７０３の位置は定義される。同様に、開位置にあるバリア１１１の先端７０５とフード開口部３０７の上側側面３０７ｂとを結ぶ線７０６は、撮像レンズの画角７０２から所定距離だけ平行移動して離れた位置にくるように、バリア１１１の位置が定義される。
【００４１】
つまり、フード開口部３０７の下端側面３０７ａと下側壁部２０２ｂの下側フード端７０３とを結ぶ線７０４とビデオカメラ１０１の撮像レンズ鏡筒の撮像レンズ前玉部１０３の光軸中心線７０７とが成す角度７０８は、フード開口部３０７の上側側面３０７ｂとバリア１１１の先端７０５と結ぶ線７０６と光軸中心線７０７とが成す角度７０９と略等しい。このような位置関係とするためには、フード後カバー２０２の上側壁部２０２ａの先端である上側フード端７１０の光軸中心線７０７からの距離７１１を、下側壁部２０２ｂの下側フード端７０３の光軸中心線７０７からの距離７１２よりも長くする必要がある。つまり、フード開口部３０７の上側側面３０７ｂと上側フード端７１０とを結ぶ線と光軸中心線７０７とが成す角度７１４は、上側側面３０７ｂとバリア１１１の先端７０５を結ぶ線７１３と光軸中心線７０７とが成す角度７０９よりも大きくなる。
【００４２】
ここで、一般的に、ビデオカメラにフード等を取り付ける場合に、ビデオカメラを床や机等に置いたときにフードが底面側に突出していると、ビデオカメラが傾いてしまい、品位を損ねるという問題やフードに不要な負荷が掛かるという問題がある。これに対して、本実施形態では、レンズフード１１０における光軸中心線７０７から下側フード端７０３までの距離７１２を、光軸中心線７０７から上側フード端７１０までの距離７１１よりも短くしている。これにより、ビデオカメラ１０１を床や机等に置いたときでも、ビデオカメラ１０１が傾くことを防止することができる。そのため、光軸中心からの下端の距離にかかわらずレンズフードをビデオカメラに取り付けて使用することが可能であり、高い汎用性を有する。
【００４３】
また、一般的に、レンズフード１１０の役割は、撮像レンズ前玉部１０３から入射する不要外光を遮断することであり、不要外光は太陽光や照明光のようにビデオカメラ１０１に対して上側から入射することが多い。これに対して、本実施形態に係るレンズフード１１０は、開位置のバリア１１１をフード後カバー２０２に収納するために、ビデオカメラ１０１に対するフード取り付け位置７１５から上側フード端７１０までの距離７１６がフード取り付け位置７１５から下側フード端７０３までの距離７１７よりも長い。そのため、撮像レンズ前玉部１０３から入射する不要外光の遮断性能が向上している。
【００４４】
《第２実施形態》
第２実施形態では、レンズフードにおけるバリアの開閉機構を構成する反転ばねの振動音（動作音）を低減させる構成について説明する。
【００４５】
図８は、第２実施形態に係るレンズフード８０１の分解斜視図であり、図８（ａ）は右前方から見た分解斜視図であり、図８（ｂ）は左前方から見た分解斜視図である。レンズフード８０１は、ビデオカメラ１０１（図１（ａ）参照）に対して撮像レンズ前玉部１０３（図１（ａ）参照）の前方において着脱自在となっている。レンズフード８０１は、第１実施形態と同様に、レンズフード８０１の本体部を構成するフード前カバー８０７及びフード後カバー８０３と、閉位置と開位置との間で移動可能なバリア８０４とを備える。
【００４６】
バリア８０４は、回転軸８０４ａ（図９，１５参照）、駆動軸８０４ｂ、作動軸８０４ｃ、回転軸側壁８０４ｄ（図１６参照）及び外観部を構成する蓋部８０４ｆを有する。回転軸８０４ａは、回転中心８０４ｅ（図９参照）を中心に回転し、これにより、バリア８０４（蓋部８０４ｆ）は、閉位置と開位置との間での開閉動作を行う。
【００４７】
スライド部材８０５は、フード前カバー８０７に対して上下方向にスライド自在に装着されている。スライド部材８０５には、スライド部材８０５と一体に動くバリア操作部材８０６がビス８２１によって取り付けられている。撮影者は、バリア操作部材８０６を上下にスライドさせてスライド部材８０５を上下にスライドさせることにより、バリア８０４の開閉操作を行う。本実施形態では、バリア８０４は、バリア操作部材８０６を上方へスライドさせると閉位置（バリア８０４が閉位置）へ移動し、下方へスライドさせると開位置（バリア８０４が開位置）へ移動する。
【００４８】
なお、図１と同様に、バリア操作部材８０６は、表示部１０４よりも前方に配置されることとなる。よって、撮影者がビデオカメラ１０１の把持部１０５を右手で把持し、表示部１０４が開かれた状態でも、撮影者は左手でバリア操作部材８０６を操作して、バリア８０４を開閉させることができる。第１実施形態でも、同様の操作を行うことができることは言うまでもない。
【００４９】
図９（ａ）は、バリア８０４が開位置にあるときのバリア８０４とスライド部材８０５の状態を示す右側面図である。図９（ｂ）は、バリア８０４が閉位置にあるときのバリア８０４とスライド部材８０５の状態を示す右側面図である。スライド部材８０５は、ラックギア８０５ａ、第１ガイド溝８０５ｂ、第２ガイド溝８０５ｃ及びバリアガイド溝８０５ｄを有する。バリアガイド溝８０５ｄは、バリア８０４の駆動軸８０４ｂと係合しているため、図９（ａ）に示される開位置からスライド部材８０５を上方へスライドさせると、バリアガイド溝８０５ｄの下面が駆動軸８０４ｂを押し上げる。これにより、バリア８０４は、回転中心８０４ｅを中心として反時計回り（矢印Ｄ方向）に回転し、図９（ｂ）の閉位置へ移動する。逆に、図９（ｂ）の状態からスライド部材８０５を下方へスライドさせると、バリアガイド溝８０５ｄの上面が駆動軸８０４ｂを押し下げる。これにより、バリア８０４は、回転中心８０４ｅを中心に時計回り（矢印Ｄの逆方向）に回転し、図９（ａ）の開位置へ移動する。
【００５０】
フード前カバー８０７は、フード後カバー８０３の内側にバリア８０４を挟み込んで、ビス８２２，８２３，８２４，８２５によってフード後カバー８０３に結合される。フード前カバー８０７の内側の外観部には、撮像レンズ前玉部１０３（図１（ａ）参照）の前方からの光線の反射防止形状が施されている。
【００５１】
フード前カバー８０７の側面には、第１ガイド軸８０７ｂと第２ガイド軸８０７ｃが設けられており、第１ガイド軸８０７ｂと第２ガイド軸８０７ｃはそれぞれ、スライド部材８０５の第１ガイド溝８０５ｂと第２ガイド溝８０５ｃに係合している。そして、スライド部材８０５は、フード後カバー８０３にフード前カバー８０７が組み付けられた状態で構成される空間内に規制されて保持されることで、上下方向にスライドすることができるようにガイドされている。
【００５２】
バリア８０４は、反転ばね８０８によって開位置と閉位置とで付勢される。図１０（ａ）は、バリア８０４が開位置にあるときのバリア８０４と反転ばね８０８の状態を示す左側面図である。図１０（ｂ）は、バリア８０４が閉位置にあるときのバリア８０４と反転ばね８０８の状態を示す左側面図である。反転ばね８０８の一端は、フード前カバー８０７の係止軸８０７ｄに係止される固定端部８０８ａとなっており、反転ばね８０８の他端はバリア８０４の作動軸８０４ｃに係止される作動端部８０８ｂとなっている。
【００５３】
反転ばね８０８は、固定端部８０８ａと作動端部８０８ｂの間の弾性変形部であるコイル部８０８ｃが引張り方向に弾性変形する。また、反転ばね８０８は、バリア８０４が回転すると作動軸８０４ｃと共に、作動端部８０８ｂがバリア８０４の回転中心８０４ｅを中心に回転変位する。更に、図１０（ａ）に示すように、反転ばね８０８は、反転ばね８０８の作動端部８０８ｂがフード前カバー８０７の係止軸８０７ｄとバリア８０４の回転中心８０４ｅを結ぶ線分Ｌの左側にあるときには、バリア８０４を開方向に付勢する。一方、図１０（ｂ）に示すように、反転ばね８０８は、線分Ｌの右側にあるときには、バリア８０４を閉方向に付勢する。
【００５４】
図１０（ａ）に示すようにバリア８０４が開位置にあるとき、フード後カバー８０３に設けられた第１のリブであるバリア開接触リブ８０３ｂが、反転ばね８０８のコイル部８０８ｃの中間より作動端部８０８ｂ側の側面で接触する。一方、図１０（ｂ）に示すように、バリア８０４が閉位置にあるとき、フード前カバー８０７に設けられた第２のリブであるバリア閉接触リブ８０７ｅが、反転ばね８０８のコイル部８０８ｃの中間より作動端部８０８ｂ側の側面で接触する。
【００５５】
反転ばね８０８の作動端部８０８ｂは、反転ばね８０８の移動時に回転中心となる固定端部８０８ａから距離が離れている。そのため、コイル部８０８ｃにおけるバリア開接触リブ８０３ｂ或いはバリア閉接触リブ８０７ｅとの接触位置は、コイル部８０８ｃの作動端部８０８ｂの近くであればあるほど、バリア８０４の移動時に変位量が大きくなる。そこで、バリア８０４が開位置或いは閉位置からの回転し始めの、より早いタイミングでコイル部８０８ｃとバリア開接触リブ８０３ｂ或いはバリア閉接触リブ８０７ｅとを非接触状態とすることができる。
【００５６】
このように、本実施形態では、バリア８０４の可動範囲に対して、コイル部８０８ｃとバリア開接触リブ８０３ｂ或いはバリア閉接触リブ８０７ｅとの接触範囲を限定している。具体的には、バリア８０４が回転している際に、なるべくコイル部８０８ｃとバリア開接触リブ８０３ｂ或いはバリア閉接触リブ８０７ｅとが接触または摺動しないようにしている。これにより、コイル部８０８ｃが伸縮する際の、コイル部８０８ｃとバリア開接触リブ８０３ｂ或いはバリア閉接触リブ８０７ｅとの接触や摺動による動作音の発生を抑えることができる。
【００５７】
図８及び図９の説明に戻る。図８及び図９の説明に示すように、レンズフード８０１は、ダンパ８０９を備える。ダンパ８０９のギア部８０９ａはスライド部材８０５のラックギア８０５ａと噛み合っており、ダンパ８０９は、ギア部８０９ａに回転速度によって変化する回転負荷を与えられている。そのため、レンズフード８０１に軽衝撃が加えられた場合は、ギア部８０９ａに一定の回転負荷が発生し、スライド部材８０５が容易には上下方向に移動しない構成となっている。なお、ダンパ８０９は、ビス８２０によってフード前カバー８０７に結合されている。
【００５８】
また、レンズフード８０１は、潰し反発力の弱い振動吸収クッション８１０を備える。振動吸収クッション８１０は、スライド部材８０５が開方向にスライドしたときに、スライド部材８０５の下端で潰し状態となるように、フード後カバー８０３の内部に固定されている。これにより、バリア８０４が開位置にあるときにスライド部材８０５が容易にはガタつくことがなく、よって、ビデオカメラ１０１の使用中におけるスライド部材８０５のガタつきに起因する異音の発生を防止することができる。
【００５９】
図８乃至図１０に示すように、バリア８０４の回転中心８０４ｅに対してバリア８０４の蓋部８０４ｆの一方の面の先端側の左右隅部の２カ所に外緩衝クッション８１１が固定され、他方の面の先端側の左右隅部の２カ所に内緩衝クッション８１２が固定されている。外緩衝クッション８１１は、バリア８０４を開位置へ移動させた際に、バリア８０４とフード後カバー８０３の内壁との直接接触を防止して、当たり音を緩和する役割を担う。同様に、内緩衝クッション８１２は、バリア８０４を閉位置へ移動させた際に、バリア８０４とフード前カバー８０７の開口周縁部８０７ｆとの直接接触を防止して、当たり音を緩和する役割を担う。
【００６０】
図１１（ａ），（ｂ）はそれぞれ、バリア８０４が閉位置にあるときのレンズフード８０１の正面図及び右側面図である。図１２（ａ），（ｂ）は、バリア８０４が開位置にあるときのレンズフード８０１の正面図及び右側面図である。図１３（ａ）は、図１１の矢視Ａ−Ａ断面図である。図１３（ｂ）は、図１２（ａ）の矢視Ｂ−Ｂ断面図である。図１４（ａ）は、図１３（ａ）に示す領域Ｄの拡大図である。図１４（ｂ）は、図１３（ａ）に示す領域Ｅの拡大図である。図１５は、図１２（ｂ）の矢視Ｃ−Ｃ断面図である。図１６（ａ）は、図１５に示す領域Ｆの拡大図である。図１６（ｂ）は、図１５に示す領域Ｇの拡大図である。
【００６１】
フード前カバー８０７の開口周縁部８０７ｆにおいて、バリア８０４の回転軸８０４ａ近傍には、緩和クッション８１３が固定されている。緩和クッション８１３は、バリア８０４が閉じ切る直前にバリア８０４の蓋部８０４ｆに設けられた回転軸側壁８０４ｄの近傍と接触する。これにより、バリア８０４が閉じ切る直前の勢いが弱められて、バリア８０４の先端に設けられた内緩衝クッション８１２とフード前カバー８０７の開口周縁部８０７ｆとの当たり音を緩和させている。
【００６２】
図１４（ａ）に示されるように、フード前カバー８０７がフード後カバー８０３に結合された状態で、バリア８０４の回転軸８０４ａは、フード前カバー８０７の凹溝８０７ａとフード後カバー８０３のフード凸部８０３ａによって回転可能に挟持されている。回転軸８０４ａの凹溝８０７ａとフード凸部８０３ａとによる挟持部は、バリア８０４の回転中心８０４ｅの軸方向の両端付近の２カ所に設けられており、各挟持部に摺動抵抗を減らすためのグリス等が塗付されている。これより、バリア８０４の可動範囲内でのスムーズな回転を実現している。
【００６３】
なお、図１６に示すように、バリア８０４の回転軸８０４ａには、バリア８０４を正面視したときの回転軸８０４ａの左右２カ所において回転軸８０４ａの端面よりも内側（光軸中心Ｘ側）の位置に回転軸側壁８０４ｄが設けられている。これら左右の回転軸側壁８０４ｄの間の部位は、使用者がレンズフード８０１を目視したときに視認することができる外観部である蓋部８０４ｆの一部となっている。回転軸８０４ａに塗付されたグリス等は、回転軸側壁８０４ｄによって、蓋部８０４ｆへの滲み出しが防止される。
【００６４】
図１６（ａ）に示すように、フード前カバー８０７の係止軸８０７ｄが光軸中心Ｘから離れた位置に配置されると共に、バリア８０４の作動軸８０４ｃが光軸中心Ｘ側に配置されている。これにより、反転ばね８０８の固定端部８０８ａ及び作動端部８０８ｂがそれぞれ係止軸８０７ｄ及び作動軸８０４ｃと係合することにより、反転ばね８０８は斜め掛けされた状態となっている。そのため、反転ばね８０８が引張力Ｐ１で引っ張られると、バリア８０４には水平付勢力Ｐ２が発生する。そのため、バリア８０４は、常に図１５の左方向に片寄せされる。また、図１６（ａ）に示すように、作動軸８０４ｃ側の回転軸側壁８０４ｄは、フード前カバー８０７の凹溝８０７ａの右側壁に接触する。一方、図１６（ｂ）に示すように、駆動軸８０４ｂ側の回転軸側壁８０４ｄは、フード前カバー８０７の凹溝８０７ａの側壁には接触しない。このように、バリア８０４は、図１５の左側に片寄せされた状態で開閉動作を行うことになり、フード前カバー８０７の常に同一面と接触することとなるため、開閉動作時の回転が安定する。
【００６５】
次に、ビデオカメラ１０１による撮像を行うために、上述したレンズフード８０１でバリア８０４を閉位置から開位置へ移動させる際の操作について説明する。先ず、ビデオカメラ１０１の本体にバリア８０４が閉じた状態のレンズフード８０１を装着する。レンズフード８０１のフード後カバー８０３の側面のバリア操作部材８０６を指で下方にスライドさせると、バリア操作部材８０６が結合されたスライド部材８０５も下方にスライドする。
【００６６】
スライド部材８０５の動きに連動して、バリア８０４が閉方向に片寄せされた状態に逆らって開方向に回転し始める。そのとき、反転ばね８０８は、作動端部８０８ｂが引っ張られてコイル部８０８ｃが伸びながら、フード前カバー８０７のバリア閉接触リブ８０７ｅから離れる。バリア８０４が開方向に回転して、作動端部８０８ｂが線分Ｌ（図１０参照）を超えると、反転ばね８０８の付勢力はバリア８０４を開方向に回転させるように反転し、バリア８０４は反転ばね８０８の引張力で開方向に付勢される。
【００６７】
バリア８０４が開位置（最も開ききった位置）にきたとき、外緩衝クッション８１１がフード後カバー８０３の内壁に接触することで衝突の勢いが緩和されるため、当たり音は小さくなる。また、反転ばね８０８のコイル部８０８ｃは、バリア８０４が開位置に到達する直前でフード後カバー８０３のバリア開接触リブ８０３ｂと接触するため、バリア８０４に固定された外緩衝クッション８１１がフード後カバー８０３に衝突したときに、反転ばね８０８自身が振動する音が鳴ることを防いでいる。更に、スライド部材８０５の下端では、振動吸収クッション８１０が、スライド部材８０５のガタつきを防止して、不用意に異音が発生することがないようになっている。こうして、バリア８０４が開位置で安定して保持されて、撮像が可能となる。
【００６８】
次に、撮像終了後にバリア８０４を閉位置へ戻す操作について説明する。レンズフード８０１のフード後カバー８０３の側面に設けられたバリア操作部材８０６を上方にスライドさせると、バリア操作部材８０６が結合されたスライド部材８０５も上方にスライドする。スライド部材８０５の動きに連動して、バリア８０４が開方向に片寄せされた状態に逆らって閉方向に回転し始める。その際に、反転ばね８０８のコイル部８０８ｃは、作動端部８０８ｂが引っ張られることで伸びながら、フード後カバー８０３に設けられたバリア開接触リブ８０３ｂから離れる。そして、バリア８０４が閉方向に回転して作動端部８０８ｂが線分Ｌ（図１０参照）を超えると、反転ばね８０８の付勢力はバリア８０４を閉方向に回転させるように反転し、これにより、バリア８０４は反転ばね８０８の引張力で閉方向に付勢される。
【００６９】
バリア８０４が閉位置（最も閉じきった位置）にきたとき、緩和クッション８１３によりバリア８０４が閉じ切る直前の勢いが弱められると同時に、内緩衝クッション８１２がフード前カバー８０７の開口周縁部８０７ｆに接触して当たりの勢いを緩和する。これにより、バリア８０４とフード前カバー８０７との当たり音が小さく抑えられる。また、反転ばね８０８のコイル部８０８ｃは、バリア８０４が閉じ切る直前でフード前カバー８０７に設けられたバリア閉接触リブ８０７ｅと接触する。これにより、バリア８０４が閉じきったときに反転ばね８０８自身が振動する音が鳴ることを防いでいる。こうして、撮影光路が遮蔽され、撮像レンズ前玉部１０３が保護される。
【００７０】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。また、上記の実施形態の一部を適宜組み合わせてもよい。例えば、上記実施形態では、反転ばね２０６として弦巻ばねを用いるとしたが、代わりに、同等の機能を発揮する弾性部材（例えば、ゴム材等）を用いることも可能である。
【符号の説明】
【００７１】
１０１    ビデオカメラ（撮像装置）
１０３    撮像レンズ前玉部
１１０    レンズフード
１１１，８０４    バリア
２０１，８０７    フード前カバー
２０２，８０３    フード後カバー
２０２ａ    上側壁部
２０２ｂ    下側壁部
２０６，８０８    反転ばね
３０７    開口部
７０１    空間部
８０３ｂ    バリア開接触リブ
８０７ｅ    バリア閉接触リブ
８０８ａ    固定端部
８０８ｂ    作動端部
８０８ｃ    コイル部
【図１】
2014126793.tif 000003
【図２】
2014126793.tif 000004
【図３】
2014126793.tif 000005
【図４】
2014126793.tif 000006
【図５】
2014126793.tif 000007
【図６】
2014126793.tif 000008
【図７】
2014126793.tif 000009
【図８】
2014126793.tif 000010
【図９】
2014126793.tif 000011
【図１０】
2014126793.tif 000012
【図１１】
2014126793.tif 000013
【図１２】
2014126793.tif 000014
【図１３】
2014126793.tif 000015
【図１４】
2014126793.tif 000016
【図１５】
2014126793.tif 000017
【図１６】
2014126793.tif 000018